(57)【要約】【課題】良好な画像を形成することが可能な光プリントヘッド、及びこれを備える画像形成装置を提供する。【解決手段】光プリントヘッド３１は、回路基板３１２と、回路基板３１２上に搭載される発光素子アレイ３１３と、発光素子アレイ３１３の上方に配置されるレンズアレイ３１５と、接着部材３１６を介して回路基板３１２を支持する支持面３１１ｅを有する筐体３１１と、を備えるものであって、筐体３１１が支持面３１１ｅにおける回路基板３１２との対向領域に開口する貫通孔３１１ｃを有しており、接着部材３１６の一部が貫通孔３１１ｃの内周面に被着されている。【選択図】図４
2009056698.tif 000002
【特許請求の範囲】
【請求項１】
基板と、該基板上に搭載される発光素子と、該発光素子の上方に配置されるレンズと、接着部材を介して前記基板を支持する支持面を有する筐体と、を備える光プリントヘッドであって、
前記筐体は、前記支持面における前記基板との対向領域に開口する穴部を有しており、
前記接着部材の一部は、前記穴部の内周面に被着されていることを特徴とする、光プリントヘッド。
【請求項２】
前記穴部は、前記支持面と外部とを連通することを特徴とする、請求項１に記載の光プリントヘッド。
【請求項３】
前記穴部の内周面には、前記接着部材の一部を収容する凹部が更に形成されていることを特徴とする、請求項１または２に記載の光プリントヘッド。
【請求項４】
前記穴部は複数形成され、各穴部の離間距離は略均等であることを特徴とする、請求項１から３のいずれかに記載の光プリントヘッド。
【請求項５】
前記接着部材の厚みは、前記支持面の平面度より大きいことを特徴とする、請求項１から４のいずれかに記載の光プリントヘッド。
【請求項６】
前記筐体の構成材料は、樹脂であることを特徴とする、請求項１から５のいずれかに記載の光プリントヘッド。
【請求項７】
請求項１から６のいずれかに記載の光プリントヘッドを備えることを特徴とする、画像形成装置。
【発明の詳細な説明】
【技術分野】
【０００１】
本発明は、例えば帯電した感光体を露光して静電潜像を形成する光プリントヘッドおよびこれを備える画像形成装置に関するものである。
【背景技術】
【０００２】
電子写真方式の複写機やプリンタなどの画像形成装置には、円筒状基体の外周面上に光導電性を有する感光層が形成された電子写真感光体と、該電子写真感光体を露光するための露光光を照射する光プリントヘッドと、を含んで構成されるものがある。このような画像形成装置の光プリントヘッドは、複数のＬＥＤチップが搭載された基板と、ＬＥＤチップの発した光を集光するためのレンズと、基板およびレンズを支持する筐体と、を有しており、ＬＥＤチップの発した光をレンズを介して電子写真感光体に照射し、微細な露光像を形成することによって光プリントヘッドとして機能する。なお、上述した従来の光プリントヘッドは、筐体の基板支持面に接着剤を介して基板を載置することにより基板を筐体に接着している。
【発明の開示】
【発明が解決しようとする課題】
【０００３】
しかしながら、上述した従来の光プリントヘッドでは、筐体と基板とを接着する際、基板支持面と基板との間に介在されている接着剤に厚みバラツキが生じやすく、基板上に設けられている全てのＬＥＤチップをレンズに対して所望の位置関係にして配置させることが困難であった。その場合、各ＬＥＤチップに対応する光学系の焦点を適切に合わせることができず、所望の微細な露光像を形成することが困難であった。
【０００４】
本発明は、このような事情のもとで考え出されたものであって、支持面に基板を良好に接着することが可能な光プリントヘッドおよびこれを備える画像形成装置を提供すること、を目的としている。
【課題を解決するための手段】
【０００５】
本発明に係る光プリントヘッドは、基板と、該基板上に搭載される発光素子と、該発光素子の上方に配置されるレンズと、接着部材を介して前記基板を支持する支持面を有する筐体と、を備えるものであって、前記筐体が前記支持面における前記基板との対向領域に開口する穴部を有しており、前記接着部材の一部が前記穴部の内周面に被着されていることを特徴としている。
【０００６】
本発明に係る光プリントヘッドは、前記穴部が前記支持面と外部を連通するのが好ましい。
【０００７】
本発明に係る光プリントヘッドは、前記穴部の内周面に前記接着部材の一部を収容する凹部が更に形成されているのが好ましい。
【０００８】
本発明に係る光プリントヘッドは、前記穴部が複数形成され、各穴部の離間距離が略均等であるのが好ましい。ここで、略均等とは、各穴部の中心の離間距離のバラツキが±１０％の誤差であることをいう。
【０００９】
本発明に係る光プリントヘッドは、前記接着部材の厚みが前記支持面の平面度より大きいのが好ましい。ここで、平面度とは、ＪＩＳ規格Ｂ００２１：１９８４で規定されるものをいう。
【００１０】
本発明に係る光プリントヘッドは、前記筐体の構成材料が樹脂であるのが好ましい。
【００１１】
本発明に係る画像形成装置は、本発明に係る光プリントヘッドを備えることを特徴としている。
【発明の効果】
【００１２】
本発明に係る光プリントヘッドでは、筐体が支持面における基板との対向領域に開口する穴部を有しているため、該支持面と基板との対向領域に介在する接着部材の余剰分を穴部にも逃がすことが可能となる。したがって、光プリントヘッドでは、対向領域全体にわたって接着部材をより均等に存在させることができる（基板をより平坦にすることができる）のである。
【００１３】
また、本光プリントヘッドでは、接着部材の一部が穴部の内周面に被着されているため、接着面積も充分に確保することができるのである。
【００１４】
以上より、本光プリントヘッドでは、各光学素子に対応する光学系の焦点を適切に合わせることができ、結果として、より微細な像を形成することが可能となる。
【００１５】
本光プリントヘッドにおいて穴部が支持面と外部とを連通する場合、貫通孔から気体（例えば空気）を逃がすことができる。そのため、本構成の光プリントヘッドでは、圧縮された空気により基板に圧力が加わるのを抑制し、基板を平坦に保つことが可能となるため、微細な像を形成するうえでより好適である。また、本構成の光プリントヘッドでは、接着部材に気体が含有されるのを抑制することもできる。
【００１６】
本光プリントヘッドにおいて、穴部の内周面に接着部材の一部を収容する凹部が更に形成されている場合、穴部だけでなく凹部にも接着部材を収容することが可能となる分、接着面積をより大きくすることが可能となるのに加え、くさび的な効果も得ることができる。
【００１７】
本光プリントヘッドにおいて穴部が複数形成され、各穴部の離間距離が略均等である場合、支持面と基板との対向領域に介在する接着部材の余剰分をより均等に逃がすことが可能となる。したがって、本構成の光プリントヘッドは、基板をより平坦に支持することが可能となるため、より微細な像を形成するうえで好適である。
【００１８】
本光プリントヘッドにおいて接着部材の厚みが支持面の平面度より大きい場合、接着部材の厚みにより支持面の表面形状による影響（バラツキ）を充分に吸収することが可能となる。したがって、本構成の光プリントヘッドは、基板をより平坦に支持することが可能となるため、より微細な像を形成するうえで好適である。
【００１９】
本光プリントヘッドにおいて筐体の構成材料が樹脂である場合、成型などによって、より容易に所望の形状のものとすることができる。したがって、本構成の光プリントヘッドは、製造容易性を維持しつつ、設計自由度を高めることができる。
【００２０】
本発明に係る画像形成装置は、本発明に係る光プリントヘッドを備えているため、上述の本発明に係る光プリントヘッドの有する効果を享受することができる。すなわち、本画像形成装置は、微細な画像を形成するうえで好適である。
【発明を実施するための最良の形態】
【００２１】
以下、本発明に係る画像形成装置Ｘおよび光プリントヘッド３１ついて、添付図面を参照しつつ具体的に説明する。
【００２２】
図１に示す画像形成装置Ｘは、電子写真感光体１０、帯電装置２０、露光装置３０、現像装置４０、転写装置５０、定着装置６０、クリーニング装置７０、および除電装置８０を備えている。なお、図１は、画像形成装置Ｘの概略構成を表す図である。
【００２３】
図２は、電子写真感光体１０の概略構成を表す図であり、（ａ）はその斜視図であり、（ｂ）は（ａ）に示したＩＩｂ−ＩＩｂ線に沿った断面図である。
【００２４】
電子写真感光体１０は、画像信号に基づいた静電潜像およびトナー像が形成されるものであり、図１の矢印Ａ方向に回転可能とされている。電子写真感光体１０は、円筒状の基体１１と、基体１１の外周面状に形成される感光層１２と、を有している。
【００２５】
基体１１は、少なくとも表面に導電性を有するものとされ、その全体を導電性材料（例えばアルミニウム）により形成したものであってもよいし、絶縁性材料（例えば樹脂材料）により形成した円筒体の表面に導電性材料からなる膜を形成したものであってもよい。
【００２６】
感光層１１は、アモルファスシリコンなどの無機半導体や有機半導体から成る光導電層を被着させた構造を有しており、光導電層に露光装置３０からの光が照射されると、光導電層の比抵抗を急激に低下させて、光導電層に所定の潜像を形成するものである。なお、感光層１２は、導電性を有する基体１１からのキャリアの注入を阻止するためのキャリア注入阻止領域や、表面を保護するための表面領域を有したものであってもよい。
【００２７】
帯電装置２０は、電子写真感光体１０の表面を、光導電層の種類に応じて、正極性または負極性に一様に帯電させるためのものである。電子写真感光体１０の帯電電位は、通常、２００〜１０００Ｖとされる。
【００２８】
図３は、電子写真感光体１０および露光装置３０の概略構成を表す分解斜視図である。
【００２９】
露光装置３０は、光プリントヘッド３１と、位置決め手段３２とを有しており、電子写真感光体１０の表面に静電潜像を形成するためのものである。
【００３０】
図４は、光プリントヘッド３１の概略構成を表す図であり、（ａ）はその斜視図であり、（ｂ）は（ａ）に示したＩＶｂ−ＩＶｂ線に沿った断面図であり、（ｃ）はその側面図であり、（ｄ）は（ｂ）に示したＩＶｄ−ＩＶｄ線に沿った断面図である。
【００３１】
光プリントヘッド３１は、筐体３１１、回路基板３１２、発光素子アレイ３１３、放熱板３１４、レンズアレイ３１５、接着部材３１６、封止部材３１７、および駆動ＩＣ３１８を備えており、電子写真感光体１０の感光層１２に対して画像信号に応じて光を照射するためのものである。
【００３２】
図５は、筐体３１１の概略構成を表す図であり、（ａ）はその斜視図であり、（ｂ）は（ａ）に示したＶｂ−Ｖｂ線に沿った断面図である。
【００３３】
筐体３１１は、凸部３１１ａ，３１１ｂ、貫通孔３１１ｃ、および凹部３１１ｄを有しており、回路基板３１２およびレンズアレイ３１３の保持部材として機能するものである。凸部３１１ａ，３１１ｂは、基準面３１１ａ１，３１１ｂ１と、挿入部３１１ａ２，３１１ｂ２と、を有している。基準面３１１ａ１，３１１ｂ１は、筐体３１１の矢印ＢＣ方向における位置基準となるものであり、筐体３１１における支持面３１１ｅに比べて高い平面度を有している。ここで、平面度とは、ＪＩＳ規格Ｂ００２１：１９８４で規定されるものであり、例えば支持面３１１ｅの普通公差が０．１×１０−１（［ｍｍ］）以上０．５（［ｍｍ］）以下に設定されている。挿入部３１１ａ２，３１１ｂ２は、筐体３１１の矢印ＤＥ方向における指標となる配列指標部として機能している。貫通孔３１１ｃは、支持面３１１ｅにおける回路基板３１２の載置領域において開口しており、支持面３１１ｅと外部とを連通している。また、貫通孔３１１ｃは、複数設けられており、各貫通孔３１１ｃは、互いに略均等な距離で離間している。凹部３１１ｄは、接着部材３１６および封止部材３１７の一部を収容するためのものであり、貫通孔３１１ｃの内周面（貫通孔３１１ｃを規定する規定面）に形成されている。なお、本実施形態において筐体３１１は、第１筐体３１１Ａと、第２筐体３１１Ｂと、が接着により一体化されている。この筐体３１１の構成材料としては、例えばアルミニウムやステンレスなどの金属や、ポリフェニレンスルファイド（ＰＰＳ）やポリカーボネートなどの樹脂材料が挙げられる。なお、筐体３１１の構成材料が樹脂材料である場合、成型などによって、より容易に所望の形状のものとすることができるので、製造容易性を維持しつつ、設計自由度を高めることができる。さらに、樹脂材料がガラス繊維を含有する場合、筐体の強度を高めつつ、線膨張係数を小さくすることができるので、その加工精度を高めるうえでも好適である。
【００３４】
回路基板３１２は、発光素子アレイ３１３および駆動ＩＣ３１８の支持母材として機能するとともに、発光素子アレイ３１３および駆動ＩＣ３１８を電気的に接続するものである。回路基板３１２は、筐体３１１における支持面３１１ｅ上に放熱板３１４および接着部材３１６を介して配置されている。また、回路基板３１２は、その他方主面３１２ｂが略平坦に形成されており、他方主面３１２ｂが基準面３１１ａ１，３１１ｂ１に対して略平行に配置されている。ここで、略平坦とは、Ｂ００２１：１９８４で規定される平面度において、標準偏差が０（［ｍｍ］）以上０．５×１０―１（［ｍｍ］）以下であることをいい、略平行とは、基準面３１１ａ１，３１１ｂ１に対する他方主面３１２ｂの平行度が０［μｍ］以上０．１［ｍｍ］以下であることをいう。回路基板３１２の構成材料としては、絶縁材料の内部や表面上に電導路を形成したものが挙げられる。ここで絶縁材料としては、ガラスエポキシ樹脂、ガラス、セラミックスなどが挙げられる。本実施形態において回路基板３１２は、矢印ＤＥ方向に長い長矩形状に形成されている。
【００３５】
発光素子アレイ３１３は、複数の発光素子３１３ａを含んでなり、回路基板３１２の他方主面３１２ｂ上に形成されている。また、発光素子３１３ａの発光面は、回路基板３１２の他方主面３１２ｂに略平行に配置されている。この発光素子３１３ａとしては、発光ダイオード、サイリスタ、有機や無機のエレクトロルミネセンス（ＥＬ）、プラズマ発光体、蛍光発光体などが挙げられる。
【００３６】
放熱板３１４は、発光素子アレイ３１３の駆動により生じる熱を外部（例えば外部空間）に放熱するためのものであり、回路基板３１２の一方主面３１２ａに設けられている。本実施形態において、放熱板３１４は、回路基板３１２の強度を補強する機能も担っている。
【００３７】
レンズアレイ３１５は、複数のレンズ３１５ａを含んでなり、電子写真感光体１０の感光層１２に発行素子アレイ３１４の発する光を集光するためのものである。レンズアレイ３１５は、発光素子アレイ３１３の矢印Ａ方向に配置されており、各レンズ３１５ａは、矢印ＤＥ方向に配列されている。本実施形態においてレンズアレイ３１５は、各レンズ３１５ａが二つの焦点を有しており、一方の焦点位置Ｔｃ１に発光素子３１３ａが位置し、他方の焦点位置Ｔｃ２に電子写真感光体１０の感光層が位置している。
【００３８】
接着部材３１６は、筐体３１１における支持面３１１ｅ上に回路基板３１２を支持するとともに、回路基板３１２の他方主面３１２ｂと基準面３１１ａ１，３１１ｂ１とを略平行に保持するためのものであり、放熱板３１４の一方主面３１４ａ、筐体３１１の貫通孔３１１ｃ、および凹部３１１ｄにわたって存在しており、これらに被着されている。本実施形態において接着部材３１６は、支持面３１１ｅの複数の領域に別れて配置されており、その厚みは、筐体３１１の支持面３１１ｅの平面度より大きい値に設定されている。接着部材３１６の構成材料としては、例えばシアノアクリレートや、アクリル系やエポキシ系などの樹脂材料が挙げられる。なお、接着部材３１６の厚みが支持面の平面度より大きい場合、接着部材３１６の厚みにより支持面３１１ｅの表面形状による影響（バラツキ）を充分に吸収することが可能となり、回路基板３１２をより平坦に支持することが可能となるため、より微細な像を形成するうえで好適である。
【００３９】
封止部材３１７は、筐体３１１の内部に配置される部材（例えば回路基板３１２、発光素子アレイ３１４）を封止し、発光素子アレイ３１４の発する光を遮るためのものである。本実施形態において封止部材３１７は、接着部材３１６、筐体３１１の貫通孔３１１ｃ、および凹部３１１ｄにわたって存在しており、これらに被着されている。本実施形態の封止部材３１７は、筐体３１１の貫通孔３１１ｃに位置する接着部材３１６を補強し、基板３１２（放熱板３１４）に対する接着性を維持するための機能も担っている。封止部材３１７の構成材料としては、例えばエポキシ系やシリコーン系などの樹脂材料が挙げられる。なお、封止部材３１７が弾性体である場合、例えば発光素子アレイ３１３の駆動により熱が生じた場合でも、熱膨張に伴う応力を緩和させることができるので、駆動時の基板の位置精度を高めるうえで好適である。
【００４０】
駆動ＩＣ３１８は、外部からの画像データに基づいて発光素子アレイ３１３の駆動を個別制御するためのものであり、回路基板３１２の電導路を介して発光素子アレイ３１３に電気的に接続されており、回路基板３１２上に配置されている。
【００４１】
図６は、位置決め手段３２の概略構成を表す図で有り、（ａ）はその斜視図であり、（ｂ）は（ａ）に示したＶＩｂ−ＶＩｂ線に沿った断面図である。
【００４２】
位置決め手段３２は、当接部３２ａと、挿入部３２ｂと、開口部３２ｃと、を有しており、電子写真感光体１０と光プリントヘッド３１との間に配置されている。当接部３２ａは、光プリントヘッド３１の筐体３１１の基準面３１１ａ１，３１１ｂ１に当接し、電子写真感光体１０に対する回路基板３１２の他方主面３１２ｂおよびレンズアレイ３１５の光学的な位置を定めるためのものである。挿入部３２ｂは、光プリントヘッド３１の筐体３１１の挿入部３１１ａ２，３１１ｂ２に挿入され、電子写真感光体１０の軸方向と発光素子アレイ３１３およびレンズアレイ３１５の配列方向とを合わせるためのものである。この当接部３２ａと挿入部３２ｂの規定面とは連続している。開口部３２ｃは、光プリントヘッド３１の発する光を通過させるためのものであり、レンズアレイ３１５と対向する領域に形成されている。
【００４３】
図１に示した現像装置４０は、電子写真感光体１０の静電潜像を現像してトナー像を形成するためのものである。この現像装置４０は、現像剤を保持しているとともに、現像スリーブ４１を備えている。
【００４４】
現像剤は、電子写真感光体１０の表面に形成されるトナー像を構成するためのものであり、現像装置４０において摩擦帯電させられる。現像剤としては、磁性キャリアと絶縁性トナーとから成る二成分系現像剤、あるいは磁性トナーから成る一成分系現像剤を使用することができる。
【００４５】
現像スリーブ４１は、電子写真感光体１０と現像スリーブ４１との間の現像領域に現像剤を搬送する役割を果すものである。
【００４６】
現像装置４０においては、現像スリーブ４１により摩擦帯電したトナーが一定の穂長に調整された磁気ブラシの形で搬送され、電子写真感光体１と現像スリーブ４０との間の現像域において、このトナーによって静電潜像が現像されてトナー像が形成される。トナー像の帯電極性は、正規現像により画像形成が行われる場合には、電子写真感光体１０の表面の帯電極性と逆極性とされ、反転現像により画像形成が行われる場合には、電子写真感光体１０の表面の帯電極性と同極性とされる。
【００４７】
転写装置５０は、電子写真感光体１０と転写装置５０との間の転写領域に給紙された記録紙Ｐにトナー像を転写するためのものであり、転写用チャージャ５１および分離用チャージヤ５２を備えている。この転写装置５０では、転写用チャージャ５１において記録紙Ｐの背面（非記録面）がトナー像とは逆極性に帯電され、この帯電電荷とトナー像との静電引力によって、記録紙Ｐ上にトナー像が転写される。転写装置５０ではさらに、トナー像の転写と同時的に、分離用チャージャ５２において記録紙Ｐの背面が交流帯電させられ、記録紙Ｐが電子写真感光体１の表面から速やかに分離させられる。
【００４８】
なお、転写装置５０としては、電子写真感光体１０の回転に従動し、かつ電子写真感光体１０とは微小間隙（通常、０．５ｍｍ以下）を介して配置された転写ローラを用いることも可能である。この場合の転写ローラは、たとえば直流電源により、電子写真感光体１０上のトナー像を記録紙Ｐ上に引きつけるような転写電圧を印加するように構成される。このような転写ローラを用いる場合には、分離用チャージャ５２のような転写材分離装置は省略することもできる。
【００４９】
定着装置６０は、記録紙Ｐに転写されたトナー像を定着させるためのものであり、一対の定着ローラ６１，６２を備えている。この定着装置６０では、一対のローラ６１，６２の間に記録紙Ｐを通過させることにより、熱、圧力などによって記録紙Ｐに対してトナー像が定着させられる。
【００５０】
クリーニング装置７０は、電子写真感光体１０の表面に残存するトナーを除去するためのものであり、クリーニングブレード７１を備えている。このクリーニング装置７０では、クリーニングブレード７１によって、電子写真感光体１０の表面に残存するトナーが掻き取られて回収される。クリーニング装置７０において回収されたトナーは、現像装置４０内にリサイクルするようにしてもよい。
【００５１】
除電装置８０は、電子写真感光体１０の表面電荷を除去するためのものである。この除電装置８０は、たとえば光照射により、電子写真感光体１０の表面電荷を除去するように構成される。
【００５２】
光プリントヘッド３１では、筐体３１１が支持面３１１ｅにおける回路基板３１２との対向領域に開口する穴部（貫通孔３１１ｃ）を有しているため、支持面３１１ｅと回路基板３１２との対向領域に介在する接着部材３１６の余剰分を回路基板３１２の外周部からだけでなく貫通孔３１１ｃからも逃がすことが可能となる。そのため、光プリントヘッド３１では、上記対向領域全体にわたって接着部材３１６をより均等に存在させることができ、回路基板３１２をより平坦にすることができる。
【００５３】
また、光プリントヘッド３１では、接着部材３１６の一部が貫通孔３１１ｃの内周面に被着されているため、接着部材３１６と接着面積も充分に確保することができるのである。そのため、光プリントヘッド３１では、筐体３１１と回路基板３１２とを良好に接着することができるのである。
【００５４】
以上より、光プリントヘッド３１では、各光学素子に対応する光学系の焦点を適切に合わせることができ、結果として、より微細な露光像を電子写真感光体１０の感光層１１の表面に形成することが可能となるのである。
【００５５】
光プリントヘッド３１において穴部が支持面３１１ｅと外部とを連通しているので、貫通孔３１１ｃから気体（例えば空気）を逃がすことができる。そのため、光プリントヘッド３１では、圧縮された空気により回路基板３１２に圧力が加わるのを抑制し、回路基板３１２を平坦に保つことが可能となるため、より微細な像を形成するうえで好適である。また、光プリントヘッド３１では、接着部材３１６に気体が含有されるのを抑制することもできる。
【００５６】
光プリントヘッド３１において、貫通孔３１１ｃの内周面に接着部材３１６の一部を収容する凹部３１１ｄが形成されているので、貫通孔３１１ｃだけでなく凹部３１１ｄにも接着部材３１６を収容することが可能となる分、接着面積をより大きくすることが可能となるのに加え、くさび的な効果も得ることができる。
【００５７】
光プリントヘッド３１において貫通孔３１１ｃが複数形成され、各貫通孔３１１ｃの離間距離が略均等であるので、支持面３１１ｅと回路基板３１２との対向領域に介在する接着部材３１６の余剰分をより均等に逃がすことが可能となる。したがって、光プリントヘッド３１は、回路基板３１２をより平坦に支持することが可能となるため、より微細な像を形成するうえで好適である。
【００５８】
画像形成装置Ｘは、光プリントヘッド３１を備えているので、光プリントヘッド３１の有する効果を享受することができる。すなわち、画像形成装置Ｘは、微細な画像を形成するうえで好適である。
【００５９】
以上、本発明の具体的な実施形態を示したが、本発明はこれに限定されるものではなく、発明の思想から逸脱しない範囲内で種々の変更が可能である。
【００６０】
本発明に係る筐体３１１は、貫通孔３１１ｃを有しているが、このような構成に限るものではなく、例えばこれを凹部に代えていてもよい。
【００６１】
本発明に係る筐体３１１は、一体形成された凸部３１１ａ，３１１ｂを有しているが、このような構成に限るものではなく、例えば凸部を有する部材を接着したものであっても良い。
【００６２】
本発明に係る筐体３１１は、第１筐体３１１Ａと第２筐体３１１Ｂとが接着により一体形成されているが、このような構成に限るものではない。
【００６３】
本発明に係る筐体３１１は、凸部３１１ａ、３１１ｂが基準面３１１ａ１，３１１ｂ１および挿入部３１１ａ２，３１１ｂ２を有しているが、このような構成に限るものではなく、例えば筐体３１１に高さ調節の基準ピンを備えたものであってもよいし、筐体３１１に貫通孔を形成したものであってもよい。
【００６４】
本発明に係る光プリントヘッド３１は、電子写真方式の画像形成装置に用いられているがこのような構成に限るものではなく、例えばフォトリソグラフィー装置用の光源として用いてもよい。
【００６５】
本発明に係る光プリントヘッド３１は、筐体３１１に一つの基板３１２が載置されているが、このような構成に限るものではなく、複数の基板を備えていてもよい。このような構成の光プリントヘッドにおいては、
【図面の簡単な説明】
【００６６】
【図１】本発明に係る画像形成装置Ｘの概略構成を表す図である。
【図２】電子写真感光体１０の概略構成を表す図であり、（ａ）はその斜視図であり、（ｂ）は（ａ）に示したＩＩｂ−ＩＩｂ線に沿った断面図である。
【図３】電子写真感光体１０および露光装置３０の概略構成を表す分解斜視図である。
【図４】光プリントヘッド３１の概略構成を表す図であり、（ａ）はその斜視図であり、（ｂ）は（ａ）に示したＩＶｂ−ＩＶｂ線に沿った断面図であり、（ｃ）はその側面図であり、（ｄ）は（ｂ）に示したＩＶｄ−ＩＶｄ線に沿った断面図である。
【図５】筐体３１１の概略構成を表す図であり、（ａ）はその斜視図であり、（ｂ）は（ａ）に示したＶｂ−Ｖｂ線に沿った断面図である。
【図６】位置決め手段３２の概略構成を表す図で有り、（ａ）はその斜視図であり、（ｂ）は（ａ）に示したＶＩｂ−ＶＩｂ線に沿った断面図である。
【符号の説明】
【００６７】
Ｘ    画像形成装置
１０    電子写真感光体
１１    基体
１２    感光層
２０    帯電装置
３０    露光装置
３１    光プリントヘッド
３１１    筐体
３１１ａ，３１１ｂ    凸部
３１１ｃ    貫通孔
３１１ｄ    凹部
３１１ｅ    載置面
３１２    回路基板
３１２ａ    一方主面
３１２ｂ    他方主面
３１３    発光素子アレイ
３１３ａ    発光素子
３１４    放熱板
３１５    レンズアレイ
３１５ａ    レンズ
３１６    接着部材
３１７    封止部材
３１８    駆動ＩＣ
３２    位置決め手段
４０    現像装置
４１    現像スリーブ
５０    転写装置
５１    転写用チャージャ
５２    分離用チャージヤ
６０    定着装置
６１，６２    定着ローラ
７０    クリーニング装置
７１    クリーニングブレード
８０    除電装置
Ｐ    記録紙
Ｔｃ１，Ｔｃ２    焦点
【図１】
2009056698.tif 000003
【図２】
2009056698.tif 000004
【図３】
2009056698.tif 000005
【図４】
2009056698.tif 000006
【図５】
2009056698.tif 000007
【図６】
2009056698.tif 000008